(57)【要約】      （修正有）【課題】使用者の観覧時間が長過ぎる時に使用者に警告を行うことができる近視予防警告機能を有するディスプレイを提供する。【解決手段】本近視予防警告機能を有するディスプレイは、入力ユニット、表示ユニット、スピーカユニット及び制御ユニットを含み、且つ観覧時間警告機能を搭載する。使用者は、入力ユニットを介し、健康観覧時間及び観覧時間警告機能のオン又はオフを設定する。観覧時間警告機能を開始後、制御ユニットが現在の観覧時間をカウントし、設定した健康観覧時間と比較し、現在の観覧時間が健康観覧時間に達する時、使用者の観覧時間が長過ぎるので、表示ユニットが警告画面を表示するよう制御し、スピーカユニットが警告音を発するよう制御し、使用者に休息又は眼の運動を行うよう警告する。【選択図】図１
0003169342.tif 000002
【実用新案登録請求の範囲】
【請求項１】
使用者に命令を入力させ、健康観覧時間及び観覧時間警告機能のオン又はオフを設定させることに用いる入力ユニットと、
警告信号を受け、警告画面を表示することに用いる表示ユニットと、
警告信号を受ける時に警告音を発することに用いるスピーカユニットと、
前記入力ユニット、前記表示ユニット及び前記スピーカユニットに接続し、前記観覧時間警告機能を開始する命令を受ける時、現在の観覧時間のカウントを開始し、前記現在の観覧時間が前記健康観覧時間に達する時、前記警告信号を出力し、前記現在の観覧時間が前記健康観覧時間に達しない時に前記警告時間を出力しないようにすることに用いる制御ユニットと、
を含む近視予防警告機能を有するディスプレイ。
【請求項２】
前記入力ユニットは、プッシュボタンモジュール又はリモート信号受信モジュールを含み、前記プッシュボタンモジュールは、複数のプッシュボタンを含み、前記プッシュボタンは、使用者に押圧させ、命令を発生させることに用い、前記リモート信号受信モジュールは、リモート信号を受信し、命令を発生することに用い、前記リモート信号は、使用者がリモートコントローラ上のプッシュボタンを押圧することにより発生する請求項１に記載の近視予防警告機能を有するディスプレイ。
【請求項３】
前記制御ユニットは、
前記現在の観覧時間をカウントすることに用いるカウントモジュールと、
前記健康観覧時間を保存することに用いるストレージモジュールと、
前記カウントモジュール及び前記ストレージモジュールに接続し、前記観覧時間警告機能を開始する命令を受ける時、前記カウントモジュールが前記現在の観覧時間をカウントし、前記ストレージモジュールに保存した前記健康観覧時間を読み取り、前記現在の観覧時間が前記健康観覧時間に達する時、前記警告信号を出力し、前記表示ユニットが前記警告画面を表示するよう制御し、前記スピーカユニットが前記警告音を発するよう制御し、前記現在の観覧時間が前記健康観覧時間に達していない時、前記警告信号を出力しないようにすることに用いる制御モジュールと、
を含む請求項１に記載の近視予防警告機能を有するディスプレイ。
【考案の詳細な説明】
【技術分野】
【０００１】
本考案は、ディスプレイに関し、特に、近視予防警告機能を有するディスプレイに関する。
【背景技術】
【０００２】
現在、多くの人がパソコンによりオンラインでの各種情報の閲覧、コンピュータゲームのプレイ、又は、学習の補助、仕事等を行うことを好み、しばしば無意識にディスプレイの前で長時間に渡り眼を使い、近視又はその他の眼病を患い易くなっている。従って、現在、切迫して使用者の観覧時間が長過ぎる時に使用者のディスプレイに警告を行うことができることが必要となっている。
【考案の概要】
【考案が解決しようとする課題】
【０００３】
これに鑑みて、本考案の目的は、使用者の観覧時間が長過ぎる時に使用者に警告を行うことができる近視予防警告機能を有するディスプレイを提供することにある。
【課題を解決するための手段】
【０００４】
上記の目的又はその他の目的を達成する為、本考案が提供する近視予防警告機能を有するディスプレイは、入力ユニット、表示ユニット、スピーカユニット及び制御ユニットを含む。入力ユニットは、使用者に命令を入力させ、健康的観覧時間及び観覧時間警告機能のオン又はオフを設定させることに用いる。表示ユニットは、警告信号を受ける時に警告画面を表示することに用いる。スピーカユニットは、警告信号を受ける時に警告音を発することに用いる。制御ユニットは、入力ユニット、表示ユニット及びスピーカユニットに接続し、観覧時間警告機能を開始する命令を受ける時に現在の観覧時間のカウントを開始し、現在の観覧時間が健康観覧時間に達する時に警告信号を出力し、現在の観覧時間が健康時間に達しない時は、警告信号を出力しないようにすることに用いる。
【０００５】
実施例において、入力ユニットは、プッシュボタンモジュールを含み、プッシュボタンモジュールは、複数のプッシュボタンを含み、プッシュボタンは、使用者に押圧させ命令を発生させることに用いる。
【０００６】
実施例において、入力ユニットは、リモート信号受信モジュールを含み、リモート信号受信モジュールは、リモート信号を受信し、命令を発生することに用い、リモート信号は、使用者がリモートコントローラ上のプッシュボタンを押圧することにより発生する。
【０００７】
実施例において、制御ユニットは、カウントモジュール、ストレージモジュール及び制御モジュールを含む。カウントモジュールは、現在の観覧時間をカウントすることに用いる。ストレージモジュールは、健康観覧時間を保存することに用いる。制御モジュールは、カウントモジュール及びストレージモジュールに接続し、観覧時間警告機能を開始する命令を受ける時、カウントモジュールが現在の観覧時間のカウントを開始し、ストレージモジュールに健康観覧時間を読み取ることに用い、現在の観覧時間が健康観覧時間に達する時、警告信号を出力し、表示ユニットが警告画面を表示するよう制御し、スピーカユニットが警告音を発するよう制御し、現在の観覧時間が健康時間に達しない時は、警告信号を出力しないようにすることに用いる。
【０００８】
実施例において、ディスプレイは、モニタ、テレビ又はオールインワンコンピュータを含む。スピーカユニットは、スピーカ又はブザーを含む。制御モジュールは、マイクロコントローラを含む。ストレージモジュールは、不揮発性メモリを含む。
【考案の効果】
【０００９】
本考案は、ディスプレイに観覧時間警告機能を搭載することにより使用者が入力ユニットを介し、健康観覧時間及び観覧時間警告機能のオン又はオフを設定することを可能にする。観覧時間警告機能を開始後、制御ユニットが現在の観覧時間をカウントし、設定した健康観覧時間と比較し、現在の観覧時間が健康観覧時間に達する時、使用者の観覧時間が長過ぎると判断し、従って、表示ユニットが警告画面を表示するよう制御し、スピーカユニットが警告音を発するよう制御し、使用者に休息又は目の運動を行うよう警告する。
【図面の簡単な説明】
【００１０】
【図１】本考案の実施例の近視予防警告機能を有するディスプレイの回路ブロック図である。
【図２】本考案の実施例の近視予防警告機能を有するディスプレイの制御方法のフロー図である。
【考案を実施するための形態】
【００１１】
本考案の上記の目的及びその他の目的、特徴及び利点を分かり易くするため、以下に実施例を挙げ、図面に併せて詳細に説明する。
【００１２】
図１は、本考案の実施例の近視予防警告機能を有するディスプレイの回路ブロック図である。図１を参照し、近視予防警告機能を有するディスプレイ1は、例えば、モニタ(monitor)、テレビ又はオールインワンコンピュータ(all-in-one computer)である。ディスプレイ１は、入力ユニット１１、制御ユニット１２、表示ユニット１３及びスピーカユニット１４を含み、そのうち、入力ユニット１１は、プッシュボタン組１１１及びリモート信号受信モジュール１１２を含み、制御ユニット１２は、制御モジュール１２１、カウントモジュール１２２及びストレージモジュール１２３を含む。
【００１３】
入力ユニット１１は、使用者に命令を入力させ、健康観覧時間及び観覧時間警告機能のオン又はオフを設定させることに用いる。入力ユニット１１のプッシュボタンモジュール１１１及びリモート信号受信モジュール１１２は、通常、ディスプレイ１前方の外殻上に設けられる。プッシュボタンモジュール１１１は、複数のプッシュボタンを含み、プッシュボタンは、使用者に押圧させて命令を発生し、ディスプレイ１が相応する動作、例えば、ディスプレイ１の電源のオン又はオフ、又は観覧時間警告機能のオン又はオフなどの機能、又は、例えば、輝度、コントラスト、健康観覧時間等のパラメータの設定を実行する。使用者は、更にリモートコントローラ（図示せず）上のプッシュボタンを介し、リモート信号を発生させることができ、リモート信号受信モジュール１１２は、このリモート信号を受信してデコーディングし、命令を発生し、ディスプレイ１に対応した動作を実行させるよう制御する。
【００１４】
制御ユニット１２は、制御モジュール１２１、カウントモジュール１２２及びストレージモジュール１２３を含む。カウントモジュール１２２は、現在の観覧時間をカウントすることに用いる。ストレージモジュール１２３は、例えば、不揮発性メモリであり、使用者が設定する輝度、コントラスト、健康観覧時間等のパラメータを保存することに用い、実施例において、現在の観覧時間等のリアルタイムデータをキャッシュすることに更に用いる。制御モジュール１２１は、例えば、マイクロプロセッサであり、カウントモジュール１２２及びストレージモジュール１２３に接続し、入力ユニット１１から伝達される観覧時間警告機能を開始する命令を受ける時、カウントモジュール１２２が現在の観覧時間のカウントを介し、ストレージモジュール１２３に保存した健康観覧時間を読み取り、現在の観覧時間が健康観覧時間に達する時、警告信号を出力し、表示ユニット１３が警告画面を表示するよう制御し、スピーカユニット１４が警告音を発するよう制御し、現在の観覧時間が健康観覧時間に達していない時、警告信号を出力しないようにする。
【００１５】
表示ユニット１３は、警告信号を受ける時に、警告信号中に含む警告画面情報を放映し、警告画面を表示することに用い、そのうち、警告画面の情報は、予めストレージモジュール１２３に保存することができる。警告画面は、例えば、スクリーン上に表示する(on-screen display,OSD)技術を利用し、画面上への警告情報のポップアップを実現し、使用者に休息するよう警告するか、又は、例えば、画面を眼の健康のマルチメディアを再生するよう変更することで実現し、使用者が眼の運動を行い、眼をリラックスさせるよう警告、補助する。表示ユニット１３が警告信号を受信しない時、画面は正常に放映する。スピーカユニット１４は、例えば、スピーカ又はブザーであり、警告信号を受信する時、警告信号中に含む警告音のデータを再生し、警告音を発することに用い、そのうち、警告音のデータは、予めストレージモジュール１２３に保存することができる。警告音は、例えば、画面にポップアップする警告情報と合わせた警告音声であるか、又は、例えば、放映する眼の健康マルチメディアと合わせたガイド音声又は音楽であることができる。
【００１６】
実施例において、ディスプレイ１の観覧時間警告機能を開始後、ディスプレイ１が現在の観覧時間をカウントし、健康観覧時間に達していない時、ディスプレイ１は、OSD技術を利用し、画面上、例えば、隅に現在の観覧時間、健康観覧時間、現在の観覧時間及び健康観覧時間の差の三者の少なくとも１種の情報を持続表示し、使用者に現在の観覧時間がどれだけであり、残りどれだけで健康観覧時間に達し、休息が必要であるかを随時分からせることができる。
【００１７】
図２は、本考案の実施例の近視予防警告機能を有するディスプレイの制御方法フロー図であり、そのうち、ディスプレイは、図１に示すディスプレイ１を例とする。図１及び図２を参照し、ステップＳ２１において、使用者は、入力ユニット１１を介し、健康観覧時間を設定し(例えば、45分間)、制御モジュール１２１がこの健康観覧時間をストレージモジュール１２３に保存する。ステップＳ２２において、使用者は、入力ユニット１１を介し、ディスプレイ１の観覧時間警告機能の開始を命令する。ステップＳ２３において、制御モジュール１２１は、カウントモジュール１２２が使用者の現在の観覧時間のカウントを開始し、現在の観覧時間をストレージモジュール１２３に保存するよう制御する。ステップＳ２４において、制御モジュール１２１が現在の観覧時間及び使用者が設定した健康観覧時間に対し比較を行う。
【００１８】
制御モジュール１２１は、現在の観覧時間が健康観覧時間に達し、使用者がディスプレイ１を観覧する時間が長く、健康的観覧に適合しないことを示す場合、制御モジュール１２１は、先ず、ステップＳ２５を実行し、現在の観覧時間のカウントを停止し、続いて、ステップＳ２６及びＳ２７を実行し、表示ユニット１３が警告画面を表示するよう制御し、スピーカユニット１４が警告音を発するよう制御し、使用者に休息するか、眼の運動を行うよう警告する。そのうち、ステップＳ２６は、制御モジュール１２１が、表示ユニット１３がOSD技術を利用し、画面上に警告情報、例えば、「観覧時間が長過ぎる」をポップアップさせるよう制御し、スピーカユニット１４が警告音、例えば、ビープ音を発するよう制御する。ステップＳ２７において、制御モジュール１２１は、表示ユニット１３が眼の健康マルチメディア、例えば、眼の健康を扱う図面、映像、音楽等を再生するよう変更し、更には、視力の健康に関するゲームを提供することができ、使用者を休息、リラックスさせる。続いて、ステップＳ２３に戻り、観覧時間警告機能を継続実行し、この制御モジュール１２１は、カウントモジュール１２２が現在の観覧時間を初めからカウントするよう制御する。
【００１９】
制御モジュール１２１は、現在の観覧時間が健康観覧時間に達しているかを判断し、使用者がディスプレイ１を観覧する時間が長過ぎず、健康的観覧に適合していれば、制御モジュール１２１は、ステップＳ２８において、表示ユニット１３が画面に正常放映するよう制御し、画面上、例えば、隅に現在の観覧時間及び健康観覧時間の差の警告情報を表示し、使用者に随時更に観覧可能な時間の長さを分からせることができる。続いて、ステップＳ２３に戻り、簡単時間警告機能の実行を継続し、この時、制御モジュール１２１がカウントモジュール１２２に現在の観覧時間のカウントを継続するよう制御する。
【００２０】
上記のように、本考案は、ディスプレイに観覧時間警告機能を搭載し、使用者が入力ユニットを介し、健康観覧時間及び観覧時間警告機能のオン又はオフを設定する可能にする。観覧時間警告機能をオンにした後、制御ユニットが現在の観覧時間をカウントし、設定した健康観覧時間と比較し、現在の観覧時間が健康観覧時間に達する時、使用者の観覧時間が長過ぎると判断し、従って、表示ユニットが警告画面を表示するよう制御し、スピーカユニットが警告音を発するよう制御し、使用者に休息するか、眼の運動を行うよう警告する。
【００２１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２２】
１  ディスプレイ
１１  入力ユニット
１１１  プッシュボタンモジュール
１１２  リモート信号受信モジュール
１２  制御ユニット
１２２  カウントモジュール
１２３  ストレージモジュール
１３  表示ユニット
１４  スピーカユニット
Ｓ２１  健康観覧時間を設定する
Ｓ２２  観覧時間警告機能をオンにする
Ｓ２３  現在の観覧時間をカウントする
Ｓ２４  現在の観覧時間＞健康観覧時間？
Ｓ２５  現在の観覧時間のカウントを停止する
Ｓ２６  画面に警告情報をポップアップさせ、警告音を発する
Ｓ２７  画面に眼の健康メルチメディアを放映する
Ｓ２８  画面を正常に放映し、画面上に現在の観覧時間及び健康観覧時間の差の警告情報を表示する
【図１】
0003169342.tif 000003
【図２】
0003169342.tif 000004